(57)【要約】【課題】状況に応じて適切にノイズの回避を行うことができ、設計負担も軽減することができる電子機器及び発振周波数の切換決定方法等を提供する。【解決手段】本願は、電波を受信して動作する受信機と、発振機能を有する電子回路と、を備えた電子機器において、前記受信機による受信周波数と、前記発振機能による発振周波数を１／２にして自然数倍したｎ／２（ｎ：自然数）発振周波数と比較する周波数比較手段と、前記比較結果、前記受信周波数と、前記ｎ／２発振周波数との差が所定範囲内にある場合には、前記受信機が受信する信号の入力レベルを検出する入力レベル検出手段と、前記検出された入力レベルに基づいて、前記発振周波数を切り換えるか否かを決定する発振周波数切換決定手段と、を備える。【選択図】図２
2008311896.tif 000002
【特許請求の範囲】
【請求項１】
電波を受信して動作する受信機と、発振機能を有する電子回路と、を備えた電子機器において、
前記受信機による受信周波数と、前記発振機能による発振周波数を１／２にして自然数倍したｎ／２（ｎ：自然数）発振周波数とを比較する周波数比較手段と、
前記比較結果、前記受信周波数と、前記ｎ／２発振周波数との差が所定範囲内にある場合には、前記受信機が受信する信号の入力レベルを検出する入力レベル検出手段と、
前記検出された入力レベルに基づいて、前記発振周波数を切り換えるか否かを決定する発振周波数切換決定手段と、
を備えることを特徴とする電子機器。
【請求項２】
請求項１に記載の電子機器において、
前記検出された入力レベルが所定レベルより小さい場合には、前記受信機から出力された信号から、前記受信周波数と前記ｎ／２発振周波数との差に相当する周波数のレベルを検出する周波数レベル検出手段を更に備え、
前記発振周波数切換決定手段は、前記検出された周波数のレベルに基づいて、前記発振周波数を切り換えるか否かを決定することを特徴とする電子機器。
【請求項３】
電波を受信して動作する受信機と、発振機能を有する電子回路と、を備えた電子機器における発振周波数の切換決定方法であって、
前記受信機による受信周波数と、前記発振機能による発振周波数を１／２にして自然数倍したｎ／２（ｎ：自然数）発振周波数とを比較する工程と、
前記比較結果、前記受信周波数と、前記ｎ／２発振周波数との差が所定範囲内にある場合には、前記受信機が受信する信号の入力レベルを検出する工程と、
前記検出された入力レベルに基づいて、前記発振周波数を変更するか否かを決定する工程と、
を備えることを特徴とする発振周波数の切換決定方法。
【請求項４】
電波を受信して動作する受信機と、発振機能を有する電子回路と、を備えた電子機器に含まれるコンピュータを、
前記受信機による受信周波数と、前記発振機能による発振周波数を１／２にして自然数倍したｎ／２（ｎ：自然数）発振周波数とを比較する周波数比較手段、
前記比較結果、前記受信周波数と、前記ｎ／２発振周波数との差が所定範囲内にある場合には、前記受信機が受信する信号の入力レベルを検出する入力レベル検出手段、及び、
前記検出された入力レベルに基づいて、前記発振周波数を変更するか否かを決定する発振周波数切換決定手段として機能させることを特徴とするコンピュータプログラム。
【請求項５】
請求項４に記載のコンピュータプログラムがコンピュータ読み取り可能に記録されていることを特徴とする記録媒体。
【発明の詳細な説明】
【技術分野】
【０００１】
本願は、電波を受信して動作する受信機と、発振機能を有する電子回路と、を備えた電子機器等の技術分野に関する。
【背景技術】
【０００２】
この種の電子機器において、例えばスイッチング回路の動作に伴う発振周波数（スイッチング周波数）の不要輻射が受信機に対して影響を与え、受信機の出力側にノイズ（例えばビートノイズ）が発生する場合がある。
【０００３】
このような不要輻射の影響を除去する対策として、例えば特許文献１に開示されているように、受信周波数が現在のスイッチング周波数より所定周波数以上、離間しているか否かを判断し、否定結果が得られた場合、当該スイッチング周波数を受信周波数から所定周波数以上遠ざけるよう当該スイッチング周波数を切り換えることが考えられる。
【０００４】
【特許文献１】特開２００４−４８７０１号公報
【発明の開示】
【発明が解決しようとする課題】
【０００５】
しかしながら、従来の技術では、ノイズが発生する可能性のある全てのチャンネルにおいてスイッチング周波数を切り換えるか、或いは実機上において事前にノイズの発生する周波数をチェックする必要があり、前者の場合、全てのチャンネルに対して選択するスイッチング周波数の組み合わせが煩雑になり、後者の場合、試作期間中の回路変更などでノイズパターンが変わり、プログラムの変更を余儀なくさせられることが考えられる。
【０００６】
そこで、本願は、このような問題の解消を課題の一つとし、状況に応じて適切にノイズの回避を行うことができ、設計負担も軽減することができる電子機器及び発振周波数の切換決定方法等を提供することを目的する。
【課題を解決するための手段】
【０００７】
上記課題を解決するため、請求項１に記載の発明は、電波を受信して動作する受信機と、発振機能を有する電子回路と、を備えた電子機器において、前記受信機による受信周波数と、前記発振機能による発振周波数を１／２にして自然数倍したｎ／２（ｎ：自然数）発振周波数とを比較する周波数比較手段と、前記比較結果、前記受信周波数と、前記ｎ／２発振周波数との差が所定範囲内にある場合には、前記受信機が受信する信号の入力レベルを検出する入力レベル検出手段と、前記検出された入力レベルに基づいて、前記発振周波数を切り換えるか否かを決定する発振周波数切換決定手段と、を備えることを特徴とする。
【０００８】
請求項３に記載の発明は、電波を受信して動作する受信機と、発振機能を有する電子回路と、を備えた電子機器における発振周波数の切換決定方法であって、前記受信機による受信周波数と、前記発振機能による発振周波数を１／２にして自然数倍したｎ／２（ｎ：自然数）発振周波数とを比較する工程と、前記比較結果、前記受信周波数と、前記ｎ／２発振周波数との差が所定範囲内にある場合には、前記受信機が受信する信号の入力レベルを検出する工程と、前記検出された入力レベルに基づいて、前記発振周波数を変更するか否かを決定する工程と、を備えることを特徴とする。
【０００９】
請求項４に記載のコンピュータプログラムの発明は、電波を受信して動作する受信機と、発振機能を有する電子回路と、を備えた電子機器に含まれるコンピュータを、前記受信機による受信周波数と、前記発振機能による発振周波数を１／２にして自然数倍したｎ／２（ｎ：自然数）発振周波数とを比較する周波数比較手段、前記比較結果、前記受信周波数と、前記ｎ／２発振周波数との差が所定範囲内にある場合には、前記受信機が受信する信号の入力レベルを検出する入力レベル検出手段、及び、前記検出された入力レベルに基づいて、前記発振周波数を変更するか否かを決定する発振周波数切換決定手段として機能させることを特徴とする。
【発明を実施するための最良の形態】
【００１０】
以下、本願の最良の実施形態を添付図面に基づいて説明する。なお、以下に説明する実施の形態は、オーディオ再生装置に対して本願を適用した場合の実施形態である。
【００１１】
先ず、図１及び図２を参照して、オーディオ再生装置の構成及び機能について説明する。
【００１２】
図１は、本実施形態に係るオーディオ再生装置の概要構成例を示す図であり、図２は、システム制御部における処理内容の一例を示す概念図である。
【００１３】
図１に示すように、オーディオ再生装置Ｓは、アンテナ１、電波を受信して動作する受信機としてのチューナ２、ＤＣ／ＤＣコンバータ３、システム制御部４、ＰＬＬ（Phase Locked Loop）部５、ＢＰＦ（Band Pass Filter）６、チューナ２から出力されたオーディオ信号を増幅するアンプ７、当該増幅されたオーディオ信号を音波として外部に出力するスピーカ８、及びユーザからの選局指示等を入力するための操作部９等を備えて構成されている。
【００１４】
ＤＣ／ＤＣコンバータ３は、クロック信号によって動作されるスイッチングレギュレータを備えて構成されており、例えばバッテリから電源電圧の供給を受けてこれを昇圧してオーディオ再生装置Ｓの各部に供給するようになっている。
【００１５】
システム制御部４は、ＣＰＵ(Central Processing Unit)、ＲＡＭ（Random Access Memory）、ＲＯＭ（Read Only Memory）、及び発振機能を有する電子回路等を備えて構成されており、例えばＲＯＭに記憶されたコンピュータプログラムを読み取りこれを実行することにより、オーディオ再生装置Ｓ全体を統括制御し、本願に係る周波数比較手段、入力レベル検出手段、及び発振周波数切換決定手段等して機能するようになっている。
【００１６】
そして、システム制御部４は、ユーザから所望の放送チャンネルの選局指示を、操作部９を介して受け付けた場合、図２に示すように、その放送チャンネルの電波の周波数（以下、「受信周波数ｆｄ」という）を決定し、当該受信周波数ｆｄに対応する信号をＰＬＬ部５に供給する。これに対し、ＰＬＬ部５は、当該信号により指定された周波数にロックするようにチューナ２に指令を与える。これにより、指定された周波数の電波がアンテナ１を介してチューナ２により受信され、当該チューナ２により復調されたオーディオ信号Ｓoutが出力されることになる。
【００１７】
更に、システム制御部４は、ＤＣ／ＤＣコンバータ３におけるスイッチングレギュレータを動作させるクロック信号を生成しこれをスイッチングレギュレータに供給する。かかるクロック信号の周波数（スイッチング周波数（外部同期周波数ともいう））（以下、「発振周波数ｆ0」という）はシステム制御部４により切り換え制御される。より具体的には、図２に示すように、システム制御部４は、受信周波数ｆｄと、発振周波数ｆ0を１／２にして自然数倍したｎ／２（ｎ：自然数）発振周波数（以下、「発振周波数n*ｆ0/2」という）と比較する。
【００１８】
ここで、ｎは、例えば１から数十までの全ての自然数又は任意の幾つかの自然数とされ、夫々の発振周波数n*ｆ0/2について受信周波数ｆｄとの比較が行われる。このように範囲をある程度広くとることで、疑いのあるチャンネル全体に網をかけることができる。なお、ｎは、例えばある自然数一点のみであっても構わない。
【００１９】
また、受信周波数ｆｄと発振周波数n*ｆ0/2とを比較するのは、発振周波数ｆ0の倍調又は１／２倍調がチューナ２に影響（１／２倍調も整数倍調と同様に影響を与える可能性が大きい）を与え（つまり、発振周波数n*ｆ0/2が妨害波となる）、ビートノイズ（受信周波数ｆｄと発振周波数n*ｆ0/2との干渉によって生ずるうなりノイズ）を発生させる要因となるためである。
【００２０】
そして、上記比較結果、受信周波数ｆｄと、発振周波数n*ｆ0/2との差が所定範囲内にある（受信周波数ｆｄと発振周波数n*ｆ0/2が近い）場合には、システム制御部４は、チューナ２が受信する信号の入力レベルＳＬを検出（チェック）し、当該検出された入力レベルＳＬに基づいて発振周波数ｆ0を切り換えるか否かを決定（判断）するようになっている。例えば、入力レベルＳＬが十分に大きい（高い）場合は、ビートノイズの成分を十分抑圧できると判断し、発振周波数ｆ0の切り換えない決定がなされ、発振周波数ｆ0を切り換えず固定するように制御される。
【００２１】
一方、入力レベルＳＬが所定レベルより小さい（低い）場合は、例えば発振周波数ｆ0の切り換え決定がなされ、発振周波数ｆ0を受信周波数ｆｄから所定周波数以上遠ざけるよう当該発振周波数ｆ0が切り換えられる。
【００２２】
或いは、チューナ２のオーディオ出力をモニタしておき、入力レベルＳＬが所定レベルより小さい場合は、当該チューナ２から出力されたオーディオ信号Ｓoutから、受信周波数ｆｄと発振周波数n*ｆ0/2との差（ｆｂ＝ｆｄ−n*ｆ0/2）に相当する周波数（これはビートノイズの周波数であり、以下、「ビート周波数ｆｂ」という）のレベルを検出するようにし、検出されたビート周波数ｆｂのレベルに基づいて発振周波数ｆ0を切り換えるか否かを決定するように構成すればより効果的である。例えば、ビート周波数ｆｂのレベルが所定レベルより小さい場合は、発振周波数ｆ0の切り換えない決定がなされ、発振周波数ｆ0を切り換えず固定するように制御される。一方、ビート周波数ｆｂのレベルが大きい場合は、その原因がビートか本来の変調かに拘らず、発振周波数ｆ0の切り換え決定がなされ、発振周波数ｆ0を受信周波数ｆｄから所定周波数以上遠ざけるよう当該発振周波数ｆ0が切り換えられる。
【００２３】
なお、ビート周波数ｆｂは、図示のように、オーディオ信号Ｓoutを、周波数レベル検出手段としてのＢＰＦ６に通過させることにより検出（抽出）することができるが、この検出は、システム制御部４によりソフト的に検出するように構成しても良い。
【００２４】
次に、図３を参照して、オーディオ再生装置の動作について説明する。なお、以下の説明において、システム制御部４は、ＤＣ／ＤＣコンバータ３におけるスイッチングレギュレータに対して上述したクロック信号を供給しているものとする。
【００２５】
図３は、システム制御部４における発振周波切換判断処理を示すフローチャートである。
【００２６】
図３に示す処理は、ユーザから放送チャンネルの選局（選択）指示を、操作部９を介して受け付けた場合に開始される。
【００２７】
先ず、システム制御部４は、選択された放送チャンネルの受信周波数ｆｄを決定する（ステップＳ１）。
【００２８】
次いで、システム制御部４は、スイッチングレギュレータに対して供給しているクロック信号の発振周波数ｆ0を確認し（ステップＳ２）、上述したように、受信周波数ｆｄと発振周波数n*ｆ0/2との差が所定範囲内にあるか否かを比較し、受信周波数ｆｄと発振周波数n*ｆ0/2との差が所定範囲内にあるか否かを判別する（ステップＳ３）。
【００２９】
ここで、この所定範囲は、チャンネル間の周波数間隔を考慮し、例えばＡＭ（Amplitude Modulation）の場合、±１ｋＨｚの範囲とし、ＦＭ（Frequency Modulation）の場合、±１０ｋＨｚの範囲に設定される。更に余裕を考慮して、例えば、ＡＭの場合、±３ｋＨｚの範囲とし、ＦＭ（Frequency Modulation）の場合、±３０ｋＨｚの範囲に設定しても良い。
【００３０】
そして、受信周波数ｆｄと発振周波数n*ｆ0/2との差が所定範囲内にない場合には（ステップＳ３：ＮＯ）、システム制御部４は、発振周波数ｆ0を切り換えない決定をし（ステップＳ４）、当該処理を終了する。なお、上記「ｎ」が、例えば１から数十までの全ての自然数の夫々の発振周波数n*ｆ0/2について受信周波数ｆｄとの比較が行われた場合には、それらの各発振周波数n*ｆ0/2と受信周波数ｆｄとの差が所定範囲内無い場合にステップＳ４に移行される。
【００３１】
一方、受信周波数ｆｄと発振周波数n*ｆ0/2との差が所定範囲内にある場合には（ステップＳ３：ＹＥＳ）、システム制御部４は、チューナ２が受信する信号の入力レベルＳＬを検出し、当該検出された入力レベルＳＬが所定レベルＬ１よりも小さいか否かを判別する（ステップＳ５）。
【００３２】
ここで、この所定レベルＬ１は、入力レベルＳＬの実用感度として、例えば＋１０ｄＢ（０ｄＢ＝１μＶ）〜１００ｄＢの間のレベルに設定されることが考えられるが、これに限定されるものではなく、使い方や条件によって変わる。
【００３３】
そして、上記入力レベルＳＬが上記所定レベルＬ１よりも小さくない（大きい）場合には（ステップＳ５：ＮＯ）、システム制御部４は、発振周波数ｆ0を切り換えない決定をし（ステップＳ４）、当該処理を終了する。
【００３４】
一方、上記入力レベルＳＬが上記所定レベルＬ１よりも小さい場合には（ステップＳ５：ＹＥＳ）、システム制御部４は、例えばＢＰＦ６から上述したビート周波数ｆｂを取得し（ステップＳ６）、ビート周波数ｆｂのレベルが所定レベルＬ２より大きいか否かを判別する（ステップＳ７）。なお、上記入力レベルＳＬが上記所定レベルＬ１よりも小さい場合、ステップＳ８に移行するように構成しても良い。
【００３５】
ここで、この所定レベルＬ２は（これも使い方や条件によって変わるが）、例えばＳ／Ｎ比２０ｄＢ感度が著しく悪化しないことを目標とすれば、基準のオーディオ信号Ｓoutのレベルを０ｄＢ＝０．７７８Ｖとして、２０ｄＢ落ちの０．０８Ｖｐｐ程度に設定することが考えられる。この程度を所定レベルＬ２とすれば、ノイズ感は少ないと考えられるので望ましい。
【００３６】
そして、上記ビート周波数ｆｂが所定レベルＬ２より大きくない（小さい）場合には（ステップＳ７：ＮＯ）、システム制御部４は、発振周波数ｆ0を切り換えない決定をし（ステップＳ４）、当該処理を終了する。
【００３７】
一方、上記ビート周波数ｆｂが所定レベルＬ２より大きい場合には（ステップＳ７：ＹＥＳ）、システム制御部４は、発振周波数ｆ0を切り換える決定をし、発振周波数ｆ0を受信周波数ｆｄから所定周波数以上遠ざけるよう（例えば、受信周波数ｆｄと発振周波数n*ｆ0/2との差が上記所定範囲から外れるよう）当該発振周波数ｆ0を切り換え（ステップＳ８）、上記ステップＳ２に戻り、上記と同様の処理を行う。
【００３８】
以上説明したように、上記実施形態によれば、受信周波数ｆｄと発振周波数n*ｆ0/2とを比較し、その差が所定範囲内にある場合には、チューナ２が受信する信号の入力レベルＳＬを検出し、当該入力レベルＳＬに基づいて、発振周波数ｆ0を切り換えるか否かを決定するように構成し、受信周波数ｆｄと発振周波数n*ｆ0/2との接近だけでなく、入力レベルＳＬによる抑圧効果を考慮するようにしたので、状況に応じて適切にノイズの回避を行うことができ、設計負担も軽減することができる。また、予めノイズの発生する可能性のあるチャンネルを予測することができる。
【００３９】
また、上記入力レベルＳＬが所定レベルより小さい場合は、更に、ビート周波数ｆｂのレベルに基づいて発振周波数ｆ0を切り換えるか否かを決定するように構成し、実際のビートノイズのレベルをも勘案したので、より確実に、ビートノイズの回避を自動的に行うことができる。
【００４０】
なお、上記実施形態においては、本願をオーディオ再生装置に対して適用した場合を例にとって説明したが、これに限定されるものではなく、発振素子の輻射の影響を受けやすい部分を持ち、同時にＤＣ／ＤＣコンバータ等の発振を利用した動作を行う部分を持つその他の電子機器に対して本願は適用可能である。
【００４１】
また、上記実施形態においては、チューナ２から出力されたオーディオ信号から、ビート周波数ｆｂを検出し、これを利用したが、チューナから出力されたビデオ信号からビート周波数ｆｂを検出し、これを利用するように構成しても良い。
【図面の簡単な説明】
【００４２】
【図１】本実施形態に係るオーディオ再生装置の概要構成例を示す図である。
【図２】システム制御部における処理内容の一例を示す概念図である。
【図３】システム制御部における発振周波切換判断処理を示すフローチャートである。
【符号の説明】
【００４３】
１  アンテナ
２  チューナ
３  ＤＣ／ＤＣコンバータ
４  システム制御部
５  ＰＬＬ部
６  ＢＰＦ
７  アンプ
８  スピーカ
９  操作部
Ｓ  オーディオ再生装置
【図１】
2008311896.tif 000003
【図２】
2008311896.tif 000004
【図３】
2008311896.tif 000005